(57)【要約】【課題】小型のオーバーキャップにムース状の造形物を掬い取るヘラ状の小物を収納できるスパチュラ付きオーバーキャップを提供することである。【解決手段】内部に内容物を収納する容器本体２の口筒部に係合し、該内容物をムース状に吐出する吐出キャップ３を覆い隠すように着脱自在に保持するオーバーキャップ１０であって、該オーバーキャップ１０は、外周壁１１と内周壁１５の二重筒状構造を有し、オーバーキャップ頂壁１２にスパチュラ２０を収納する収納部１３を設けており、該スパチュラ２０のヘラ部２１は、外周壁１１と内周壁１５の隙間に折り曲がって収納可能であることを特徴とするスパチュラ付きオーバーキャップ。【選択図】図６
2018140823.tif 000002
【特許請求の範囲】
【請求項１】
内部に内容物を収納する容器本体（２）の口筒部に係合し、該内容物をムース状に吐出する吐出キャップ（３）を覆い隠すように着脱自在に保持するオーバーキャップ（１０）であって、
該オーバーキャップ（１０）は、外周壁（１１）と内周壁（１５）の二重筒状構造を有し、オーバーキャップ頂壁（１２）にスパチュラ（２０）を収納する収納部（１３）を設けており、
該スパチュラ（２０）のヘラ部（２１）は、外周壁（１１）と内周壁（１５）の隙間に折り曲がって収納可能であることを特徴とするスパチュラ付きオーバーキャップ。
【請求項２】
前記ヘラ部（２１）の裏側には、先端部から長さ方向の中間部付近にかけて薄肉部を設けている請求項１に記載のスパチュラ付きオーバーキャップ。
【請求項３】
前記スパチュラ（２０）は、収納部（１３）でスライドすることにより外周壁（１１）と内周壁（１５）の隙間から垂下される請求項１又は２に記載のスパチュラ付きオーバーキャップ。
【請求項４】
前記収納部（１３）の両側下部には、スパチュラ（２０）の案内部材（２３）が通過可能な案内溝（１４）を設けている請求項１〜３のいずれかに記載のスパチュラ付きオーバーキャップ
【請求項５】
前記吐出キャップ（３）の吐出口（７）から吐出されたムース状の造形物を、請求項１〜４のいずれかに記載のスパチュラ付きオーバーキャップのスパチュラ（２０）を用いて掬い取ることが可能なことを特徴とするムース状造形物容器。
【請求項６】
前記容器本体（２）が、エアゾール容器又はスクイズ容器であることを請求項５に記載のムース状造形物容器。
【発明の詳細な説明】
【技術分野】
【０００１】
本発明は、ムース（泡）状の造形物を掬い取るスパチュラを収納できるスパチュラ付きオーバーキャップ及びムース状の造形物を形成するムース状造形物容器に関する。
【背景技術】
【０００２】
従来から容器の一部に、内容物を掬ったりする計量スプーンやヘラ等の小物を収納する容器として、例えば、特許文献１には、容器の蓋の裏面に円筒状のカップを斜めにカットしたメジャーカップを着脱自在に設けたスプーン機能付容器が開示されている。しかしながら、引用文献１では内容物にメジャーカップの先端部などが継続して接触することで、衛生面で懸念が生じることがあった。
【０００３】
また、特許文献２には、キャップ体を上下二重構造として、この上下間に小物を収納可能な小物収納部を形成することが開示されているものの、特許文献２の収納方法ではキャップ体の大きさにより収納できる小物が制限され、キャップ体が小さくなると必然的に収納する小物のサイズも小さくせざるを得なかった。
【０００４】
ムース（泡）状の造形物を形成する容器としては、エアゾール容器やスクイズ容器が広く用いられており、これら容器のオーバーキャップ（キャップ体）は片手で着脱出来できるような小型なものが多く、ムース状造形物を掬い取るスパチュラ（ヘラ）状の小物を小型のオーバーキャップに収納することは困難であった。
【先行技術文献】
【特許文献】
【０００５】
【特許文献１】実用新案登録第３１４７１０２号公報
【特許文献２】特開２００９−６７４１１号公報
【発明の概要】
【発明が解決しようとする課題】
【０００６】
本発明の目的は、小型のオーバーキャップにムース状の造形物を掬い取るスパチュラ（ヘラ）状の小物を収納できるスパチュラ付きオーバーキャップを提供することである。
また、本発明の別の目的は、スパチュラで掬い取れるムース状の造形物を形成するムース状造形物容器を提供することである。
【課題を解決するための手段】
【０００７】
上記課題を解決するため、本発明のスパチュラ付きオーバーキャップの主たる構成は、
内部に内容物を収納する容器本体の口筒部に係合し、該内容物をムース状に吐出する吐出キャップを覆い隠すように着脱自在に保持するオーバーキャップであって、
該オーバーキャップは、外周壁と内周壁の二重筒状構造を有し、オーバーキャップ頂壁にスパチュラを収納する収納部を設けており、
該スパチュラのヘラ部は、外周壁と内周壁の隙間に折り曲がって収納可能であることを特徴とする。
【０００８】
上記主たる構成では、オーバーキャップが外周壁と内周壁の二重筒状構造であるため、その隙間にスパチュラのヘラ部を折り曲げて収納可能となり、小型のオーバーキャップであってもスパチュラをコンパクトに収納することができる。
【０００９】
また、本発明の他の構成は、ヘラ部の裏側には先端部から長さ方向の中間部付近にかけて薄肉部を設けているものである。
【００１０】
ヘラ部の裏側に、先端部から長さ方向の中間部付近にかけて薄肉部を設けることによって、ヘラ部が折り曲げ易くなり外周壁と内周壁の隙間への挿入が容易に行える。
【００１１】
また、本発明の他の構成は、スパチュラが収納部でスライドすることにより外周壁と内周壁の隙間から垂下されるというものである。
【００１２】
スパチュラがスライドして外周壁と内周壁の隙間から垂下することで、まるでオーバーキャップとスパチュラが一体化したかの様な状態で、ムース状の造形物を掬い取ることが可能となり、スパチュラを紛失する恐れがなくなる。
【００１３】
更に、本発明の他の構成は、収納部の両側下部にスパチュラの案内部材が通過可能な案内溝を設けているものである。
【００１４】
スパチュラの収納部でスライドする際に案内部材が、収納部の両側下部の案内溝に導かれて通過することでスムーズにスライドすることが可能となった。
【００１５】
また、本発明のムース状造形物容器の主たる構成は、吐出キャップの吐出口から吐出されたムース状の造形物を、上記スパチュラ付きオーバーキャップのスパチュラを用いて掬い取ることが可能なことを特徴とする。
【００１６】
ムース状の造形物を、オーバーキャップに収納されたスパチュラで掬い取ることができるため利便性に優れたものである。
【００１７】
更に、本発明の他の構成は、容器本体がエアゾール容器又はスクイズ容器である。
【００１８】
容器本体としてエアゾール容器又はスクイズ容器を用いることによって、内容物を確実にムース状に吐出することができる。
【発明の効果】
【００１９】
本発明は、上記した構成となっているので、以下に示す効果を奏する。
本発明の主たる構成においては、小型のオーバーキャップであってもムース状の造形物を掬い取るスパチュラをコンパクトに収納することが可能となった。
また、本発明の別の構成においては、ムース状の造形物をオーバーキャップに収納したスパチュラで掬い取れ利便性に富んでいる。
【図面の簡単な説明】
【００２０】
【図１】本発明のスパチュラ付きオーバーキャップを有するムース状造形物容器の斜視図である。
【図２】図１でのオーバーキャップのＡ−Ａ縦断面図である。
【図３】スパチュラの使用形態の一つで、オーバーキャップからスパチュラが垂下した時の斜視図である。
【図４】スパチュラの別の使用形態で、オーバーキャップから取り外したスパチュラの平面図である。
【図５】ムース状造形物を吐出した時の斜視図である。
【図６】吐出したムース状造形物をスパチュラで掬い取る時の斜視図である。
【発明を実施するための形態】
【００２１】
以下、本発明の実施形態について図面を参照しつつ説明する。
図１に示すように、本発明のムース状造形物容器１は、容器本体２の口筒部に保持される吐出キャップ３と、この吐出キャップ３に着脱自在に保持されるオーバーキャップ１０に収納されるスパチュラ２０を備えているスパチュラ付きオーバーキャップを有する構成となっている。
【００２２】
容器本体２としては、エアゾール容器や容器を振盪させてからスクイズすると内容物が泡状となったムースＦを吐出するスクイズ容器が挙げられる。容器本体２の口筒部には、吐出キャップ３が螺合やアンダーカット等により係止する構成となっている。
吐出キャップ３は、ヒンジ部５ａを介して周壁４と全体的に平面状の吐出キャップ頂壁６を一体的に形成されている。ヒンジ部５ａの反対側には吐出キャップ頂壁６を開閉する際に手掛かりとなる舌片５ｂが設けられている。吐出キャップ頂壁６にはムースＦを吐出する吐出口７が形成されている。
【００２３】
オーバーキャップ１０は外周壁１１とオーバーキャップ頂壁１２を備え、オーバーキャップ頂壁１２の中央部の収納部１３にはスパチュラ２０が収納できる構造となっている。収納部１３の両側下部には、後述するスパチュラ２０の案内部材２３が通過可能な案内溝１４が設けられている。オーバーキャップ１０は、図２に示されるように、外周壁１１の内部に内周壁１５を有する二重筒状構造であり、外周壁１１と内周壁１５の隙間にはスパチュラ２０のヘラ部２１を挿入して収めることが可能である。内周壁１５の内周下端部には、吐出キャップ３の下端部にアンダーカット状に係止する係止突起１６が９０°毎の４箇所に突設している。
【００２４】
スパチュラ２０は、先端部が丸みを帯びた短冊形状のヘラ部２１を備え、ヘラ部２１の後端部には摘み部２２、両側面には案内溝１４を通過可能な案内部材２３が形成されている。スパチュラ２０には、図１や図２に示されるような収納状態で、ヘラ部２１が折り曲げ易い柔軟な材料が用いられる。そして、収納状態でオーバーキャップ１０の内周壁１５のコーナー部１５Ｒで折り曲げられるため、ヘラ部２１の先端部から長さ方向の中間部付近の裏側にかけて溝等の薄肉部を断続的に設けて折り曲げ易くすることで、外周壁１１と内周壁１５の隙間へ挿入し易い形状としてもよい。また、ヘラ部２１の先端部に向けて徐々に肉薄にして折り曲げ易くしてもよい。
スパチュラ２０の使用形態としては、図３に示されるように、摘み部２２を押してスパチュラ２０をスライドさせ、オーバーキャップ１０の二重筒状である外周壁１１と内周壁１５の隙間から垂下させた状態で使用する形態と、オーバーキャップ１０での収納状態から摘み部２２を引っ張り、図４に示されるように、オーバーキャップ１０から取り外して使用する形態が考えられる。
【００２５】
次に、このように構成されたスパチュラ付きオーバーキャップを有するムース状造形物容器１の作用について、ムースＦによる造形物をコーヒー等の飲料に載せる形態を一例として説明する。
まず初めに、ムース状造形物容器１からオーバーキャップ１０を取り外し、図５に示されるように、吐出キャップ３の吐出口７からムースＦの造形物を吐出させ、平面状の吐出キャップ頂壁６上に載せる。
【００２６】
ムースＦの造形物を掬い取るために、図３の様に、オーバーキャップ１０の収納部１３で収納状態にあるスパチュラ２０をスライドさせ、スパチュラ２０のヘラ部２１を二重筒状構造のオーバーキャップ１０の外周壁１１と内周壁１５の隙間から垂下させる。その後、スパチュラ２０がムースＦの造形物を掬い取るように、図６の様に、ヘラ部２１を吐出口７付近に近づけ、好ましくは平面状の吐出キャップ頂壁６に接触させながら移動させてムースＦの造形物の一部又は全部をヘラ部２１上に掬い上げ、所望するコーヒー等の飲料に載せることができる。
【００２７】
本実施形態では、オーバーキャップ１０から垂下した時のヘラ部２１はオーバーキャップ１０の内周壁１５の形状に合わせて僅かに湾曲しているが、外周壁１１と内周壁１５の二重筒状の形状を変えて、垂下した際のヘラ部２１を湾曲していない平面状としても構わない。また、吐出キャップ頂壁６を平面状としてあるが、ヘラ部２１が湾曲している場合には、湾曲形状に合うように吐出キャップ頂壁６を下方に窪んだ凹部形状としても構わない。
【００２８】
以上、実施例に沿って本発明の構成とその作用効果について説明したが、本発明の実施の形態は上記実施形態に限定されるものではない。
例えば上記実施形態では、泡状物を飲料（コーヒー）の上に載せる形態を説明したが、他にも、化粧品や洗剤でも同様に実施でき、また、ムース状の造形物をスパチュラ２０で掬った後、手や体の一部に載せて使用することも可能である。
また、上記実施形態では外周壁１１と内周壁１５による二重筒状構造をオーバーキャップ１０の全周に設けているが、少なくともヘラ部２１が挿入される部分成形してあればよい。
また、ムースＦの造形物形状は、図面に示される放射線６本で、２本の縦線と４本の斜め線のアスタリスク形状に限定されるものではなく、円形状、四角状や所望する模様形状など吐出口７の配置によって適宜変更することができる。
更に、吐出キャップ３は、周壁４と吐出キャップ頂壁６をヒンジ部５ａを介して一体に形成されたものに限定されるものではなく、それぞれを別体に形成し、周壁４と吐出キャップ頂壁６をネジ部により螺合するものであってもよい。
【産業上の利用可能性】
【００２９】
以上説明したように、本発明によれば、ムース状の造形物を掬い取るスパチュラをオーバーキャップにコンパクトに収納することができ容器分野における用途展開をさらに広い領域で図ることができる。
【符号の説明】
【００３０】
１    ；容器
２    ；容器本体
３    ；吐出キャップ
５ａ  ；ヒンジ部
５ｂ  ；舌片
６    ：吐出キャップ頂壁
７    ；吐出口
１０  ；オーバーキャップ
１１  ；外周壁
１２  ；オーバーキャップ頂壁
１３  ；収納部
１４  ；案内溝
１５  ；内周壁
１５Ｒ；コーナー部
１６  ；係止突起
２０  ；スパチュラ
２１  ；ヘラ部
２２  ；摘み部
２３  ；案内部材
Ｆ    ；ムース
【図１】
2018140823.tif 000003
【図２】
2018140823.tif 000004
【図３】
2018140823.tif 000005
【図４】
2018140823.tif 000006
【図５】
2018140823.tif 000007
【図６】
2018140823.tif 000008